(57)【要約】      （修正有）【課題】多量の水を貯留するとともに、多数の各種鉢植えに対して、周辺が綺麗な状態のまま容易に給水作業を行うことができる、鉢植え管理用移動式給水器を提供する。【解決手段】前方および後方の両端に回転可能に設置された車輪１２によって移動する移動カート１０と、水道栓に連結される給水ホースを介して給水用の水を溜めておくための貯水筒２０と、鉢植えの鉢から排水される水を回収するための通孔５６を有する鉢植え据置台５０と、給水の際に貯水筒２０にある水を上方に引き上げるための水中ポンプ８０と、水中ポンプ８０の吐出口８２にホース９０によって引込口１０２が連結され流入する水を浄水して排出口１０４から排出するための浄水装置１００と、浄水装置１００の排出口１０４にホース９０によって連結され、浄水された水を鉢植えに給水するためのスプレー噴射ノズル１１０と備えてなる鉢植え管理用移動式給水器。【選択図】図３
2009005702.tif 000002
【特許請求の範囲】
【請求項１】
鉢植えへの給水の際に、前方および後方の両端に回転可能に設置された車輪によって移動する移動カートと、
前記移動カートの上部に取り付けられ、水道栓に連結される給水ホースを介して水道水の供給を受けて給水の際に使用する水を溜めておくための貯水筒と、
前記貯水筒の外周面を取り囲むように設けられ、備品または工具を入れて保管するための複数のポケットを有する備品保管部と、
前記貯水筒の上端の外周面に覆設され、中央に挿入孔を有する密閉カバーと、
前記密閉カバーの挿入孔に挿入支持され、下端部には鉢植えの鉢の排水孔から排水される水を前記貯水筒の内部に回収するための複数の通孔を有する鉢植え据置台と、
前記鉢植え据置台の内部に挿入され、前記鉢植えの鉢の排水孔から排水される水に不純物が混合されて前記貯水筒の内部に流入することを防止するための濾過網と、
前記貯水筒の内部に取り付けられ、鉢植えへの給水の際に前記移動カートの上部のハンドルの内側に設置された作動スイッチのオン／オフによって作動することにより、前記貯水筒にある水を上方にポンピングさせて内部に引き上げるための水中ポンプと、
前記貯水筒内の水中ポンプの一側に取り付けられ、前記水中ポンプの吐出口にホースによって引込口が連結され、前記水中ポンプの吐出口、前記ホースおよび前記引込口を介して流入する水を浄水して排出口から排出するための浄水装置と、
前記浄水装置の排出口にホースによって連結され、浄水された水の供給を受けて鉢植えに給水するためのスプレー噴射ノズルと、
前記移動カートの後方に取り付けられ、前記水中ポンプに電源を供給するために充電器に接続される充電端子を有するバッテリーボックスと
を具えることを特徴とする鉢植え管理用移動式給水器。
【請求項２】
前記鉢植え据置台の上端の外周面には、前記挿入孔に鉢植え据置台を支持するためのフランジが設けられ、前記鉢植え据置台の上部の内周面には給水の際に鉢植えを定着させるための係止段が設けられていることを特徴とする請求項１に記載の鉢植え管理用移動式給水器。
【請求項３】
前記浄水装置は、透明体からなるフィルターハウジングと、前記フィルターハウジングに内蔵され、流入する水に含有された塩素成分を除去するためのカーボンフィルターと、前記フィルターハウジングの上部に開閉可能に設置され、水の流入する引込口、および浄水された水を排出する排出口を有するエンドキャップとから構成されていることを特徴とする請求項１に記載の鉢植え管理用移動式給水器。
【請求項４】
前記貯水筒の下端には、排水孔が設けられ、前記排水孔には開閉可能なエンドキャップが設置されていることを特徴とする請求項１に記載の鉢植え管理用移動式給水器。
【請求項５】
前記充電端子を有するバッテリーボックスが、少なくとも１台装着されていることを特徴とする請求項１に記載の鉢植え管理用移動式給水器。
【請求項６】
前記水道栓に連結される給水ホースが、相異なる直径の給水ホースが互いに連通するように連結部材によって結合されていることを特徴とする請求項１に記載の鉢植え管理用移動式給水器。
【発明の詳細な説明】
【技術分野】
【０００１】
本発明は、鉢植え管理用移動式給水器に係り、さらに詳しくは、多量の水を貯留することができ、多数の各種鉢植えに対し、周辺が綺麗な状態のまま一時に給水作業を容易に行うことができる、鉢植え管理用移動式給水器に関する。
【背景技術】
【０００２】
一般に、アパートまたはビルでは、自然的な感じ、柔らかい感じおよび心理的な安定感を提供するため、また、新鮮な空気を自然に供給することにより、室内空気中にある各種汚染物質や有害物質などを浄化して室内環境を快適な状態に維持する目的で、各種植物の鉢植えを多数栽培する場合が多い。ところが、最近では、一般家庭や事務室などの内部になるべく多数の鉢植えを配置して管理することにより、前述した効果以外にも、多様な効果が得られることが実験によって立証されている。
【０００３】
すなわち、生きている植物を室内で栽培することにより、室内への酸素または陰イオンの放出、空気浄化、居住者の疲労およびストレスの減少、集中力の増加、生産性の向上、室内におけるエネルギー効率の増加、粉塵の減少、並びに騒音および電磁波の減少などといった非常に有益な効果があることが立証されたこともあって、各家庭や事務室などになるべく多くの鉢植えを配置して管理することが好ましい。
【０００４】
一方、従来の各種植物の鉢植えを周期的に管理するために家庭や事務室などで給水作業を行うときは、作業者が持ち上げられる程度の大きさの容器、例えばバケツなどに水を汲んできて給水作業を行うため、給水作業を行う鉢植えの数が多い場合には、一時に多量の水をためて移動することができず、作業者が何度も水をバケツに汲んできて給水作業を行わなければならない。ところが、移動の際に水をこぼす場合が頻繁に発生するので、給水作業に多くの不便さをもたらし、これにより給水時間が長くなり、また、給水の際に水を注ぐ鉢植えの周辺が汚くなるため、別途に掃除をしなければならないという煩わしさを伴ううえ、給水に必要な量だけの水を効果的に使用することができず無駄な水の浪費している。
【０００５】
特に、管理し難い東洋蘭や西洋蘭などの蘭科植物は十分給水した状態で排水処理を行わなければならないが、このような蘭科植物への給水を行う場合には、排水処理が容易な別途の場所、例えば化粧室などに移って給水作業を行わなければならないなど、多くの問題点があった。
【発明の開示】
【発明が解決しようとする課題】
【０００６】
そこで、本発明は、上述した従来の問題点を解決するためのもので、その目的とするところは、多量の水を貯留することができ、多数の各種鉢植えに対して周辺が綺麗な状態のまま一時に給水作業を容易に行うことができるようにすることにより、特に鉢植えが多い場合に給水作業を容易に行うことができ、給水時間を大幅短縮させるうえ、給水された水を再活用することのより水の使用量を効果的に節減させることができ、また、東洋蘭などの蘭科植物の場合にも排水処理が容易な別途の場所に移動することなく即席で給水および排水作業を便利に行うことができる鉢植え管理用移動式給水器を提供することにある。
【０００７】
本発明の他の目的は、植物の生長に害のある有害な塩素またはフッ素成分が除去された状態の水道水を使用することにより植物の生長を効率よく促進させることができるうえ、水の再活用の際に鉢植えの鉢の排水孔から出る砂や土などをフィルターリングした状態で給水を行うことができ、機器内の部品の損傷を予め防止して部品の使用寿命を向上させることができる鉢植え管理用移動式給水器を提供することにある。
【課題を解決するための手段】
【０００８】
上記目的を達成するために、本発明は、鉢植えへの給水の際に、前方および後方の両端に回転可能に設置された車輪によって移動する移動カートと、前記移動カートの上部に取り付けられ、水道栓に連結される給水ホースを介して水道水の供給を受けて給水の際に使用する水を溜めておくための貯水筒と、前記貯水筒の外周面を取り囲むように設けられ、備品または工具を入れて保管するための複数のポケットを有する備品保管部と、前記貯水筒の上端の外周面に覆設され、中央に挿入孔を有する密閉カバーと、前記密閉カバーの挿入孔に挿入支持され、下端部には鉢植えの鉢の排水孔から排水される水を前記貯水筒の内部に回収するための複数の通孔を有する鉢植え据置台と、前記鉢植え据置台の内部に挿入され、前記鉢植えの鉢の排水孔から排水される水に不純物が混合されて前記貯水筒の内部に流入することを防止するための濾過網と、前記貯水筒の内部に取り付けられ、鉢植えへの給水の際に前記移動カートの上部のハンドルの内側に設置された作動スイッチのオン／オフによって作動することにより、前記貯水筒にある水を上方にポンピングさせて内部に引き上げるための水中ポンプと、前記貯水筒内の水中ポンプの一側に取り付けられ、前記水中ポンプの吐出口にホースによって引込口が連結され、前記水中ポンプの吐出口、前記ホースおよび前記引込口を介して流入する水を浄水して排出口から排出するための浄水装置と、前記浄水装置の排出口にホースによって連結され、浄水された水の供給を受けて鉢植えに給水するためのスプレー噴射ノズルと、前記移動カートの後方に取り付けられ、前記水中ポンプに電源を供給するために充電器に接続される充電端子を有するバッテリーボックスとを含んでなることを特徴とする鉢植え管理用移動式給水器を提供する。
【０００９】
また、前記鉢植え据置台の上端の外周面には前記挿入孔に鉢植え据置台を支持するためのフランジが設けられ、前記鉢植え据置台の上部の内周面には給水の際に鉢植えを定着させるための係止段が設けられていることを特徴とする。
【００１０】
また、前記浄水装置は、透明体からなるフィルターハウジングと、前記フィルターハウジングに内蔵され、流入する水に含有された塩素成分を除去するためのカーボンフィルターと、前記フィルターハウジングの上部に開閉可能に設置され、水の流入する引込口、および浄水された水を排出する排出口を有するエンドキャップとから構成されていることを特徴とする。
【００１１】
また、前記貯水筒の下端には排水孔が設けられ、前記排水孔には開閉可能なエンドキャップが設置されていることを特徴とする。
【００１２】
また、前記充電端子を有するバッテリーボックスが少なくとも１台装着されていることを特徴とする。
【００１３】
また、前記水道栓に連結される給水ホースが、相異なる直径の給水ホースが互いに連通するように連結部材によって結合されていることを特徴とする。
【発明の効果】
【００１４】
上述したように、本発明によれば、多量の水を貯留することが可能な移動式給水器を用いて、多数の各種鉢植えに対して周辺が綺麗な状態となるように一時に給水作業を容易に行うことができるようにすることにより、給水すべき鉢植えが多い場合に老弱者も給水作業を容易に行うことができて給水時間を大幅短縮させることができ、中型以上の鉢植えの場合には鉢植え受け台に排水された水を貯水筒の上端の濾過網に再び注いで水を再活用することができて水の使用量を効果的に節減させることができるうえ、例えば東洋蘭のような蘭科植物などの小型鉢植えの場合には貯水筒の上端の鉢植え据置台を活用して直接給水することができて水の再活用と同時に、排水処理が容易な別途の場所に移動することなく即席で便利に給水および排水作業を行うことができる。また、本発明は、植物の生長に害のある有害な塩素またはフッ素成分が除去された状態の水道水を使用することができて植物の生長を効率よく促進させることができるうえ、水の再活用の際に鉢植えの鉢の排水孔から出られる砂や土などをフィルターリングした状態で給水することができて機器内の部品の損傷を予め防止して部品の使用寿命を増大させることができ、結果として鉢植え管理用移動式給水器の効率性および信頼性を大幅向上させた非常に有用な発明である。
【発明を実施するための最良の形態】
【００１５】
以下に添付図面を参照しながら、本発明の好適な実施例について詳細に説明する。
図１は本発明の鉢植え管理用移動式給水器を示す全体斜視図、図２は図１の分解斜視図、図３は図１の縦断面図、図４は本発明の貯水筒の内部を示す平面図、図５は本発明の鉢植え管理用移動式給水器自体を用いて鉢植えに給水するときの状態を示す斜視図、図６は本発明の貯水筒への給水の際に水道栓に連結される給水ホースを示す斜視図である。
【００１６】
本発明の鉢植え管理用移動式給水器は、各種鉢植えへの給水の際に、前方および後方の両端に回転可能に設置された車輪１２によって移動する移動カート１０の上部に、水道栓に連結される給水ホース１３０を介して水道水の供給を受けて給水の際に使用する水を溜めておくための貯水筒２０が取付けられ、この貯水筒２０の外周面には柔らかい布などで製作され、備品や工具などを入れて保管するための複数のポケット３２を有する備品保管部３０が取り囲むように設置され、前記貯水筒２０の上端の外周面には中央に挿入孔４２を有する密閉カバー４０が覆設される。
【００１７】
また、前記密閉カバー４０の挿入孔４２には上端開放の鉢植え据置台５０が挿入されて支持されるが、この鉢植え据置台５０の上端の外周面には前記挿入孔４２に鉢植え据置台５０を支持するためのフランジ５２が設けられ、前記鉢植え据置台５０の上部の内周面には給水の際に鉢植えを定着させるための係止段５４が設けられ、前記鉢植え据置台５０の下端部には鉢植えの鉢の排水孔から排水される水を前記貯水筒２０の内部に回収するための複数の通孔５６が設けられる。
【００１８】
また、前記鉢植え据置台５０の内部には、鉢植えの鉢の排水孔から排水される水に砂や土などの不純物が混合されて前記貯水筒２０の内部に流入することを防止するために、不織布などで製作された濾過網６０が挿入される。この濾過網６０は、不純物は通さないが水は通す材質であればいずれの素材でも使用可能である。
【００１９】
また、前記貯水筒２０の内部には、鉢植えへの給水の際に、前記移動カート１０の上部のハンドル１４の内側に設置された作動スイッチ７０のオン／オフによって作動することにより、貯水筒２０にある水を上方にポンピングさせて内部に引き上げるための水中ポンプ８０が取り付けられる。前記貯水筒２０の内部の水中ポンプ８０の一側には、水中ポンプ８０の吐出口８２にホース９０によって引込口１０２が連結され、前記水中ポンプ８０の吐出口８２、ホース９０および引込口１０２を介して流入する水を浄水して排出口１０４から排出するための浄水装置１００が取付けられる。
【００２０】
前記浄水装置１００は、透明体からなるフィルターハウジング１０６と、このフィルターハウジング１０６に内装され、流入する水に含有された塩素成分を除去するためのカーボンフィルター１０８と、前記フィルターハウジング１０６の上部に開閉可能に設置され、水の流入する引込口１０２、および浄水された水を排出するための排出口１０４を有するエンドキャップ１０９とから構成される。
【００２１】
前記貯水筒２０の外部には、浄水装置１００のエンドキャップ１０９に設けられた排出口１０４にホース９０によって連結され、浄水された水の供給を受けて鉢植えに給水するためのスプレー噴射ノズル１１０が設置され、前記移動カート１０の後方には、前記水中ポンプ８０に電源を供給するために充電器（図示せず）に接続される充電端子１２２を有するバッテリーボックス１２０が装着される。
【００２２】
このように構成された本発明によれば、図１乃至図６に示すように、鉢植え管理用移動式給水器を用いて多数の各種鉢植えに水を定期的に供給するための給水作業を行うときは、まず、作業者が前記移動カート１０を動かし、前記移動カート１０の上部に取り付けられた貯水筒２０の内部に水を満たすための位置に移動させた後、水道栓に給水ホース１３０を連結して前記貯水筒２０の内部に一定量の水を満たし、しかる後に、前記移動カート１０を引いて各種鉢植えへの給水位置に移って停止する。
【００２３】
その後、前記移動カート１０の上部のハンドル１４の内側に設置された作動スイッチ７０をオンさせると、前記貯水筒２０の内部に取り付けられた水中ポンプ８０が作動し、前記貯水筒２０の内部の水を上方にポンピングさせてその内部に引き上げるので、この水が、順次前記水中ポンプ８０の吐出口８２とホース９０を介して、前記貯水装置１００のフィルターハウジング１０６の上部のエンドキャップ１０９に設けられた引込口１０２に流入し、前記フィルターハウジング１０５に内蔵されたカーボンフィルター１０８で水道水中の塩素成分が除去された後、前記浄水装置１００のフィルターハウジング１０６の上部のエンドキャップ１０９に設けられた排出口１０４からホース９０を経て、前記貯水筒２０の外部に設置されてホース９０に連結されたスプレー噴射ノズル１１０に到達する。
【００２４】
前述した状態で作業者が前記スプレー噴射ノズル１１０を給水すべき鉢植えに向かって引っ張ると、このスプレー噴射ノズル１１０を介して、浄水された水が吐き出されて鉢植えに給水されることにより、移動式給水器を用いて前述の方式によって容易且つ便利に給水作業を行うことができるとともに、浄水された水を給水することにより、鉢植えにされた植物の生長を促進させることができる。
【００２５】
また、図５に示すように、本発明の鉢植え管理用移動式給水器自体を用いて蘭科植物などの小型鉢植えに給水しようとするときは、前記貯水筒２０の上端の外周面に覆設された密閉カバー４０の中央の挿入孔４２に挿入されて支持されている鉢植え据置台５０に濾過網６０を挿入した後、鉢植えを定着させる。或いは、一方の手では鉢植えを把持して濾過網６０の内部に鉢植えの下部を挿入し、他方の手では前記スプレー噴射ノズル１１０を把持した状態で給水作業を行う。その結果、この鉢植えの鉢の排水孔から排水される水に含まれている砂や土などの不純物は濾過網６０で濾過された状態で、排水される水のみが、前記鉢植え据置台５０の下端部に設けられた複数の通孔５６を介して貯水筒２０の内部に落下して流入する。
【００２６】
したがって、前記貯水筒２０の内部に落下して流入する水中に砂や土などの不純物が混合されて前記貯水筒２０の内部に流入することを防止して常に綺麗な状態で水を再活用することができるだけでなく、前記水中ポンプ８０またはカーボンフィルター１０８の不純物による損傷を予め防止して部品の使用寿命を向上させることができるうえ、例えば東洋蘭などの蘭科植物の小型鉢植えの場合にも排水処理が容易な別途の場所に移動することなく給水器を用いて即席で便利に給水および排水作業を行うことができる。
【００２７】
また、前記貯水筒２０の内部に一定量の水を満たすために水道栓に連結する給水ホース１３０は、一般的なホースを連結して使用してもよいが、連結する水道栓の直径が給水ホースと合わないため給水の際に無駄な水の浪費をもたらすことなどを予め防止するために、図６に示すように相異なる直径の給水ホース１３０を、互いに連通するように連結部材１３２によって結合させた形で別途製作することにより、ユーザの便宜性を向上させることができる。
【００２８】
また、本発明の水中ポンプ８０を作動させるための電源を充電するときには、前記移動カート１０の後方に取り付けられたバッテリーボックス１２０に備えられた充電端子１２２に充電器の端子を接続することにより、容易かつ迅速に充電することができる。
【００２９】
一方、本発明の別の実施形態として、前記貯水筒２０の上端に、給水器を使用しないときに粉塵などが付かないように覆うことが可能な別途のカバーを設置することもできる。また、前記貯水筒２０の下端に排水孔を設け、この排水孔には開閉可能なエンドキャップを設置することにより、前記貯水筒２０の内部にある水を排水させるとき、或いは内部掃除などを行うとき、或いは移動させようとするとき、前記移動カート１０の底部に手を入れてエンドキャップを開放させることによって、前記貯水筒２０を傾けなくても貯水筒２０の下端の排水孔を介して容易に排水することができる。
【００３０】
また、前記浄水装置１００を貯水筒２０の内部に設置せず、前記貯水筒２０の内部へ、水道栓に連結された給水ホース１３０を介して給水するとき、この水道栓に連結された給水ホース１３０の端部を前記浄水装置１００のフィルターハウジング１０６の上部のエンドキャップ１０９に設けられた引込口１０２に連結することにより、前記給水ホース１３０を介して流入する水道水が前記浄水装置１００の引込口１０２を介して流入し、カーボンフィルター１０８によって水道水中の塩素成分が除去された状態で前記浄水装置１００の排出口１０４を介して、浄水された水が貯水筒２０の内部に流入するようにすることもできる。
【００３１】
この際、韓国では、水道水に塩素成分が多量含有されているので、カーボンフィルター１０８を使用するが、韓国以外の外国で製作する場合には、水道水に塩素成分よりはフッ素成分が多量含有されているので、このフッ素成分を効率よく除去することが可能なフィルターを設置して製作することもできる。
【００３２】
前述したスプレー噴射ノズル１１０の長さや流れの強さ、方式などを、給水する鉢植えに応じて選択的に変えて使用することができるように、多様な形で製作することもできる。前記移動カート１０の後方に取り付けられる充電端子１２２付きのバッテリーボックス１２０を、非常時のために、少なくとも１台装着する。
【００３３】
以上、本発明の好適な実施例について説明したが、本発明は、上述した実施例に限定されず、特許請求の範囲で請求した本発明の要旨から外れることなく、本発明の属する技術分野における通常の知識を有する者であれば、多様な変形実施を加え得ることは勿論のこと、それらの変形も本発明の特許請求の範囲内に属する。
【図面の簡単な説明】
【００３４】
【図１】図１は、本発明の鉢植え管理用移動式給水器を示す全体斜視図である。
【図２】図２は、図１の分解斜視図である。
【図３】図３は、図１の縦断面図である。
【図４】図４は、本発明の貯水筒の内部を示す平面図である。
【図５】図５は、本発明の鉢植え管理用移動式給水器自体を用いて鉢植えに給水するときの状態を示す斜視図である。
【図６】図６は、本発明の貯水筒への給水の際に水道栓に連結される給水ホースを示す斜視図である。
【符号の説明】
【００３５】
１０    移動カート
１２    車輪
１４    ハンドル
２０    貯水筒
３０    備品保管部
３２    袋
４０    密閉カバー
４２    挿入孔
５０    鉢植え据置台
５２    フランジ
５４    係止段
５６    通孔
６０    濾過網
７０    作動スイッチ
８０    水中ポンプ
８２    吐出口
９０    ホース
１００    浄水装置
１０２    引込口
１０４    排出口
１０６    フィルターハウジング
１０８    カーボンフィルター  
１０９    エンドキャップ
１１０    スプレー噴射ノズル
１２０    バッテリーボックス
１２２    充電端子
１３０    給水ホース
１３２    連結部材
【図１】
2009005702.tif 000003
【図２】
2009005702.tif 000004
【図３】
2009005702.tif 000005
【図４】
2009005702.tif 000006
【図５】
2009005702.tif 000007
【図６】
2009005702.tif 000008